(57)【要約】      （修正有）【課題】汚水桝の設置位置が深くなっても設置に手間がかかることがなく、しかも作業者の負担も大幅に軽減することができるとともに、設置作業や設置時の仕上げのための微調整が行ないやすく、かつインバート溝の仕上げの手間が不要となって、迅速かつ正確な水路形成を行うことができる汚水桝のインバート構造を提供する。【解決手段】汚水の流入口12および流出口13を備えた汚水桝本体11内に、上記流入口および流出口に連通するインバート1を設置し、このインバートの外側をコンクリートで打設することによって固定する汚水桝において、上記インバートを流入口および流出口に連通する溝を設けたプラスチック製の水路材と、この水路材の背面に所定の間隔でかつ水路材の円弧状断面に沿って棒状鋼材4を取り付けたことを特徴とする汚水桝のインバート構造。【選択図】図１
2007031985.tif 000002
【特許請求の範囲】
【請求項１】
汚水の流入口および流出口を備えた汚水桝本体内に、上記流入口および流出口に連通するインバートを設置し、このインバートの外側をコンクリートで打設することによって固定する汚水桝において、上記インバートを流入口および流出口に連通する溝を設けたプラスチック製の水路材と、この水路材の背面に所定の間隔でかつ水路材の円弧状断面に沿って棒状鋼材を取り付けたことを特徴とする汚水桝のインバート構造。
【請求項２】
プラスチック製の水路材が、ＦＲＰ製からなることを特徴とする請求項１に記載の汚水桝のインバート構造。
【請求項３】
プラスチック製の水路材が、円弧状断面の両端部分に下向きのフランジを形成されてなることを特徴とする請求項１または２に記載の汚水桝のインバート構造。
【請求項４】
棒状鋼材が、丸棒鋼からなることを特徴とする請求項１ないし３のいずれかに記載の汚水桝のインバート構造。
【発明の詳細な説明】
【技術分野】
【０００１】
この発明は、下水桝や雨水桝として使用する汚水桝のインバート構造に関するものである。
【背景技術】
【０００２】
従来、下水桝や雨水桝として使用する汚水桝のインバート構造としては、下記のようなものが公知である。
１）特開昭５９−１８８３１号公報（特許文献１参照）記載のように、予めインバートを溝切りした状態の完成品として組み付けるようにしたもの。
２）また、筒状のコンクリート桝本体を現場に設置し、その底部にコンクリートを打設して所定のインバート溝を形成したもの。
３）実開昭５７−１４２０７９号公報（特許文献２参照）や実開昭５９−１０３９０号公報（特許文献３参照）記載のように、インバートの仕上げを改善しようとしてプラスチック製インバートをインバート溝の表面に適用したもの。
【０００３】
一方、下水桝や雨水桝としては射出成形品等からなるプラスチック製の汚水桝も使用されているが、大型のものが製造しやすいことや耐久性の面でコンクリート製汚水桝が優れており、直ちにプラスチック製汚水桝に置き換えることができる状況にはない。
【０００４】
そこで、上記コンクリート製汚水桝を施工する場合において、
ａ）特開昭５９−１８８３１号公報（特許文献１参照）記載のように、予めインバートを溝切りした状態の完成品として組み付けるようにしたものにおいては、インバートを溝切りした状態の完成品は非常に重いために扱いにくい上、設置に際して行なう水路の微調整も手間がかかるという欠点があった。
ｂ）また、筒状のコンクリート桝本体を現場に設置し、その底部にコンクリートを打設して所定のインバート溝を形成したものにおいては、水路の正確な形成が難しく、インバート溝の仕上げに手間がかかりすぎるという問題が生じていた。
ｃ）そのために実開昭５７−１４２０７９号公報（特許文献２参照）や実開昭５９−１０３９０号公報（特許文献３参照）記載のように、インバートの仕上げを改善しようとしてプラスチック製インバートをインバート溝の表面に適用したものにおいては、予め水路自体を正確に形成することができる利点があるものの、インバートを設置する際の微調整がしにくく、またコンクリート打設後の養生過程において誤差が生じるという欠点があった。
【０００５】
出願人は上記問題点を解決するために、設置作業や設置時の仕上げのための微調整が行ないやすく、かつインバート溝の仕上げの手間が不要となって、迅速かつ正確な水路形成を行うことができるコンクリート製汚水桝を提供するため実用新案登録第２５１７５２４号公報（特許文献４参照）を提案した。
【０００６】
特許文献４に記載のコンクリート製汚水桝は、汚水の流入口および流出口を備えた汚水桝本体内に、上記流入口および流出口に連通するインバートを設置し、このインバートの外側をコンクリートで打設したコンクリート製汚水桝において、上記インバートを流入口および流出口に連通する溝を設けたＦＲＰ製等からなるプラスチック製の水路材と、この水路材に沿ってその下部にほぼ設置高さに等しく、かつ底面を平坦に打設したコンクリート台とで一体的に形成したことを特徴とするものである。
【特許文献１】特開昭５９−１８８３１号公報
【特許文献２】実開昭５７−１４２０７９号公報
【特許文献３】実開昭５９−１０３９０号公報
【特許文献４】実用新案登録第２５１７５２４号公報
【発明の開示】
【発明が解決しようとする課題】
【０００７】
しかしながら、特許文献４に記載のコンクリート製汚水桝においては、インバート部分を流入口および流出口に連通する溝を設けたＦＲＰ製等からなるプラスチック製の水路材と、この水路材に沿ってその下部にほぼ設置高さに等しく、かつ底面を平坦に打設したコンクリート台とで一体的に形成したものであるため、非常に重いものとなっていた。
そのため、近年のように下水道が普及して傾斜地等にまで汚水桝が設置されるようになると、汚水桝の設置位置が深くなり、重いインバートではその設置に手間がかかり、作業者に過度な負担がかかるという欠点があった。
【０００８】
したがってこの発明の汚水桝のインバート構造は、上記問題点を解決するために、汚水桝の設置位置が深くなっても設置に手間がかかることがなく、しかも作業者の負担も大幅に軽減することができるとともに、設置作業や設置時の仕上げのための微調整が行ないやすく、かつインバート溝の仕上げの手間が不要となって、迅速かつ正確な水路形成を行うことができる汚水桝のインバート構造汚水桝を提供することを目的として発明されたものである。
【課題を解決するための手段】
【０００９】
すなわちこの発明の汚水桝のインバート構造は、汚水の流入口および流出口を備えた汚水桝本体内に、上記流入口および流出口に連通するインバートを設置し、このインバートの外側をコンクリートで打設することによって固定する汚水桝において、上記インバートを流入口および流出口に連通する溝を設けたプラスチック製の水路材と、この水路材の背面に所定の間隔でかつ水路材の円弧状断面に沿って棒状鋼材を取り付けたことを特徴とするものである。
【００１０】
この発明の汚水桝のインバート構造は、上記プラスチック製の水路材が、ＦＲＰ製からなることをも特徴とするものである。
【００１１】
この発明の汚水桝のインバート構造は、上記プラスチック製の水路材が、円弧状断面の両端部分に下向きのフランジを形成されてなることをも特徴とするものである。
【００１２】
この発明の汚水桝のインバート構造は、上記棒状鋼材が、丸棒鋼からなることをも特徴とするものである。
【発明の効果】
【００１３】
この発明の汚水桝のインバート構造を用いて汚水桝を形成するにあたっては、予め流入口および流出口を備えた汚水桝本体内に、上記流入口および流出口に連通するインバートを設置し、このインバートの外側をコンクリートで打設すればよい。
【００１４】
すなわち、上記インバートとして流入口および流出口に連通する溝を設けたプラスチック製の水路材と、この水路材の背面に所定の感覚でかつ水路材の円弧状断面に沿って棒状鋼材を取り付けた構造としたものを使用するので、汚水桝内に上記インバートをはめ込み、適宜手段でその傾きや高さを調整しながらインバートの周囲にコンクリートを打設すればよい。
【００１５】
こうすることによって大型機械を使用することなく人手のみで設置作業が行なえ、軽量でかつ水路材の円弧状断面に沿って取り付けた棒状鋼材によって安定性があるので、設置時の仕上げのための微調整をも簡易かつ迅速に行うことができる。
もちろん、インバート溝の仕上げの手間が不要となって、迅速かつ正確な水路形成を行うことができる。
【００１６】
また、従来はプラスチック製の水路材が溝の内側に向けてカールするのを、打設したコンクリートによって変形を防止していたが、棒状鋼材を水路材の円弧状断面に沿って取り付けたことにより、コンクリートをまき締めることなく、プラスチック製の水路材の変形を規格の範囲内に収めることができるようになった。
【発明を実施するための最良の形態】
【００１７】
以下に、この発明の汚水桝のインバート構造の実施の形態を図面に基いて詳細に説明する。
図１はこの発明のインバートを設置した状態の汚水桝を示す平面図、図２はこの発明の汚水桝のインバート構造の１実施例を示す平面図、図３はその背面図、図４はその側面図、図５は図２のＡ−Ａ拡大断面図、図６は棒状鋼材の拡大断面図である。
【００１８】
図１ないし図４において、１はインバートである。このインバート１は、汚水の流入口および流出口に連通する溝３を設けたＦＲＰ製等からなるプラスチック製の水路材２と、この水路材２の背面に所定の間隔で、かつ水路材２の円弧状断面に沿って取り付けた棒状鋼材４とで一体的に形成されている。図ではインバート１はＹ字状等の水路となるように形成されているが、直管状、Ｔ字状、エルボ状水路等として必要な形状に形成することができる。
【００１９】
上記ＦＲＰ製等からなるプラスチック製の水路材２は、好ましくはその側縁にフランジ状の折り返し部５を形成されている。この折り返し部５は、水路材２の補強作用を果たすものである。
より詳しくは、フランジ状の折り返し部５は図５に示すように、最初にコンクリートの打設面を受けるようにほぼ直角にした頂面５−１と、その端部からやや拡がるように形成した下向きのスカート部５−２と、さらにその下端から外向きに拡がるように形成した下向きの裾部５−３とで構成されている。
フランジ状の折り返し部５の頂面５−１は、コンクリートの打設時にその直角面にコテ等を当てることができるので非常に作業がしやすくなる。
下向きのスカート部５−２および下向きの裾部５−３は、打設したコンクリート内に埋設されて、打設したコンクリートの所定位置にインバート１を強固に保持することができようにしたものである。
【００２０】
上記インバート１の製作に際しては、予め成形型で水路材２ないし円弧状の棒状鋼材４を作成しておき、例えば水路材２を型に入れ、円弧状の棒状鋼材４を上記水路材２の円弧状断面に沿って取り付ければよい。水路材２と円弧状の棒状鋼材４の固定は、ＦＲＰ製の水路材２を構成する熱硬化性樹脂、例えばエポキシ樹脂等を接着剤に用いて行っても良いし、ＦＲＰを構成するプライ（層）の中に挟みこむようにしても良い。図５および図６の例では、円弧状の棒状鋼材４を上記水路材２の円弧状断面に沿って接着剤６を用いて接着固定している。
なお、水路材２の裏面には細かい砂等を上記接着剤等を用いて接着しておけば、インバート１を打設したコンクリートに強固に結合させることができる。
【００２１】
ＦＲＰ製のインバート１を構成するプライ（層）は、小口径用から大口径用のインバート１に応じて２プライ（層）以上で適宜決定することができる。
なおインバート１の両端は、その後にはめ込む円筒状の汚水桝本体の形状に応じて所定の円弧を有している。
【００２２】
図１は、得たインバート１を筒状の汚水桝本体１１内にセットした状態を示している。その際、インバート１自体は水路材２の外面に円弧状の棒状鋼材４を取り付けてあるとはいえ、非常に軽量で人手によって十分運べる重さとなっている。
【００２３】
一方、汚水桝本体１１は汚水の流入口１２および流出口１３を備えている。この汚水の流入口１２および流出口１３は当該部分を薄肉としたノックアウト孔として、あるいは予め開口部分として形成しておくことができる。
【００２４】
筒状の汚水桝本体１１内にセットしたインバート１は、その下側をコンクリートで打設される。その際大型機械を使用することなく人手のみで設置作業が行なえ、しかも所定の高さまでコンクリートを打設した上でインバート１をその上にセットし、上部を治具等で適宜固定した状態でさらにコンクリートを打設すればよく、非常に作業性よく組み付けることができ、設置時の仕上げのための微調整をも簡易かつ迅速に行うことができる。
【００２５】
上記コンクリート打設部１４は、養生後は上記インバート１と完全に一体化する。なおその上部に汚水が滞留しないよう、インバート１の水路側に向けて傾斜させておくことが望ましい。
【００２６】
また、上記ＦＲＰ製等からなるプラスチック製の水路材２の側縁に形成したフランジ状の折り返し部５は、インバート１の外側にコンクリート打設部１４が形成された際にコンクリート内に埋没し、使用中におけるコンクリート打設部１４からの剥離が防止される。
【産業上の利用可能性】
【００２７】
この発明の適用できる用途としては、汚水桝や雨水桝、マンホール等の下記のような用途が上げられる。
第１桝……雨水排水設備においては雨水が最初に流入する桝。
汚水排水設備においては屋外に流下した汚水が最初に流入する桝。
中間桝……第１桝と接続桝の間に設けられるすべての桝をさし，管の接合や会合を目的として設置する。
接続桝……第１桝・中間桝を経て集められた下水をひとつにまとめ，公共下水道又は管きょによる一般下水道へ排水するための桝。
【図面の簡単な説明】
【００２８】
【図１】この発明のインバートを設置した状態の汚水桝を示す平面図である。
【図２】この発明の汚水桝のインバート構造の１実施例を示す平面図である。
【図３】その背面図である。
【図４】その側面図である。
【図５】図２のＡ−Ａ拡大断面図である。
【図６】棒状鋼材の拡大断面図である。
【符号の説明】
【００２９】
１ インバート
２ 水路材
３ 溝
４ 棒状鋼材
５ 折り返し部
５−１  頂面
５−２  スカート部
５−３  裾部
６  接着剤
１１ 汚水桝本体
１２ 流入口
１３ 流出口
１４ コンクリート打設部
【図１】
2007031985.tif 000003
【図２】
2007031985.tif 000004
【図３】
2007031985.tif 000005
【図４】
2007031985.tif 000006
【図５】
2007031985.tif 000007
【図６】
2007031985.tif 000008
【手続補正書】
【提出日】平成17年7月26日(2005.7.26)
【手続補正１】
【補正対象書類名】図面
【補正対象項目名】図２
【補正方法】変更
【補正の内容】
【図２】
2007031985.tif 000009